(57)【要約】【課題】何度でも同じ原稿をプレビューすることが可能であり、本当に読みたい設定になったら本スキャンにてプレビュー対象の原稿を含めてＡＤＦからの連続読み取りが再開できるシステムを提供する。【解決手段】ネットワーク関連プロトコルと、読み取り原稿台へのベルト搬送を行う手段を有するフラッドベッド型の自動原稿搬送装置と、画像データを読み取る画像読み取り部とを有する画像形成装置と、前記画像形成装置の制御を行うＰＣとをネットワークを介して接続する画像読み取りシステムにおいて、本スキャンをする前に前記ＰＣで全体像を見る手段を有するプレビューモードを有し、前記プレビューモードの場合は、前記画像読み取り部にある原稿を排紙せずに、前記原稿を複数回読み取る画像読み取り手段を有する。【選択図】　　　　図１
2004104366.tif 000002
【特許請求の範囲】
【請求項１】
ネットワーク関連プロトコルと、
読み取り原稿台へのベルト搬送を行う手段を有するフラッドベッド型の自動原稿搬送装置と、
画像データを読み取る画像読み取り部とを有する画像形成装置と、
前記画像形成装置の制御を行うＰＣとをネットワークを介して接続する画像読み取りシステムにおいて、
本スキャンをする前に前記ＰＣで全体像を見る手段を有するプレビューモードを有し、
前記プレビューモードの場合は、
前記画像読み取り部にある原稿を排紙せずに、前記原稿を複数回読み取る画像読み取り手段を有することを特徴とする画像読み取りシステム。
【請求項２】
前記プレビューモードであって、
本スキャンを行う場合は、既に給紙されている原稿をスキャンする手段を有することを特徴とする請求項１記載の画像読み取りシステム。
【請求項３】
前記画像形成装置とネットワークを介して接続するＰＣを複数有し、
前記プレビューモードによりプレビュー動作を行う場合は、プレビュー用に給紙した原稿のユーザであるかを判定する判定手段を有し、
前記判定手段により、前記給紙した原稿のユーザではない他のユーザであると判定した場合は、スキャンされないよう排他処理を行う手段を有することを特徴とする請求項１または２記載の画像読み取りシステム。
【請求項４】
前記画像形成装置とネットワークを介して接続するＰＣを複数有し、
前記画像形成装置は、一定時間経過した場合に、スキャンジョブ設定をクリアし、初期状態に戻すモードクリア時間を有し、
前記モードクリア時間を設定する手段を有し、
前記プレビューモードによりプレビュー動作を行う場合であって、
前記モードクリア時間に達した場合は、自動的に原稿を排紙し、他のユーザへ資源を解放する手段を有することを特徴とする請求項１から３のいずれか１項に記載の画像読み取りシステム。
【請求項５】
前記画像形成装置とネットワークを介して接続するＰＣを複数有し、前記プレビューモードによりプレビュー動作を行うユーザが、操作によりプレビューモードを終了した場合は、給紙されている原稿を自動的に排紙し、他のユーザへ資源を解放する手段を有することを特徴とする請求項１から４のいずれか１項に記載の画像読み取りシステム。
【請求項６】
ネットワーク関連プロトコルと、
読み取り原稿台へのベルト搬送を行うフラッドベッド型の自動原稿搬送装置と、
画像データを読み取る画像読み取り部とを有する画像形成装置と、前記画像形成装置の制御を行うＰＣとをネットワークを介して接続し、本スキャンをする前に前記ＰＣで全体像を見るプレビューモードを有し、
前記プレビューモードの場合は、
前記画像読み取り部にある原稿を排紙せずに、前記原稿を複数回読み取ることを特徴とする画像読み取り方法。
【請求項７】
前記プレビューモードであって、
本スキャンを行う場合は、既に給紙されている原稿をスキャンする工程を有することを特徴とする請求項６記載の画像読み取り方法。
【請求項８】
前記画像形成装置とネットワークを介して接続するＰＣを複数有し、
前記プレビューモードによりプレビュー動作を行う場合は、プレビュー用に給紙した原稿のユーザを判定する工程を有し、
前記給紙した原稿のユーザではない他のユーザであると判定した場合は、スキャンされないよう排他処理を行うことを特徴とする請求項６または７記載の画像読み取り方法。
【請求項９】
前記画像形成装置とネットワークを介して接続するＰＣを複数有し、
前記画像形成装置は、一定時間経過した場合にスキャンジョブ設定をクリアし、初期状態に戻すモードクリア時間を有し、
前記モードクリア時間を設定する工程を有し、
前記プレビューモードによりプレビュー動作を行う場合は、
前記モードクリア時間によって、自動的に原稿を排紙し、他のユーザへ資源を解放することを特徴とする請求項６から８のいずれか１項に記載の画像読み取り方法。
【請求項１０】
前記画像形成装置とネットワークを介して接続するＰＣを複数有し、前記プレビューモードによりプレビュー動作を行うユーザが、操作によりプレビューモードを終了した場合は、給紙されている原稿を自動的に排紙し、他のユーザへ資源を解放することを特徴とする請求項６から９のいずれか１項に記載の画像読み取り方法。
【発明の詳細な説明】
【０００１】
【発明の属する技術分野】
本発明は、プレビュー機能を有する画像読み取りシステム及び画像読み取り方法に関する。
【０００２】
【従来の技術】
ネットワークを使用して遠隔操作によりスキャナ機能を使用する場合にクライアント側（パーソナルコンピュータ：以下ＰＣ）のモニタに読み取り設定を行う画面を表示し、そこで設定を行ってスキャン動作を実現するシステムは既存である。
【０００３】
例えばＴＷＡＩＮプロトコルによるＰＣアプリケーションへの画像入力機器からの画像転送を行うドライバにて遠隔操作で取得したスキャナ画像を表示する場合、多くはその設定画面にて、画像階調やガンマ補正値、読み取り範囲などが設定できる。読み取りたい原稿がその設定にてどのような結果になるかは、一度その原稿を指定された設定にて低解像度で画像取得し、それを画面上に表示（プレビュー）し、ドライバの設定でどのような結果が得られるか判断可能である。
【０００４】
特許文献１は、読み取った原稿を逆搬送し、再度スキャンできる発明である。プレビューを実施した後、再度の読み取りを行うため、原稿の逆搬送を行っても、原稿の送り量と制御上の値にズレが生じることなく、またスムーズに原稿送りができる技術が開示されている。
【０００５】
特許文献２は、プレビューモードと本スキャンモードを持つ画像読取システムと画像読取方法の発明である。ユーザの操作上の負担を軽減して作業効率の向上を図ると共に、ユーザの読取モードの設定の自由度を増加させることができる。
【０００６】
【特許文献１】
特開平１１−２３９２４９号公報
【特許文献２】
特開平１１−２９８６５８号公報
【０００７】
【発明が解決しようとする課題】
しかし、画像階調やガンマ補正値、読取範囲などの中から様々な設定を試したい場合、読み取り原稿台に一枚の原稿を置いてこの動作を繰り返す場合は何度も可能であるが、現行の自動原稿搬送装置（以下ＡＤＦ）を使用して読み取る場合、原稿を一度搬送してスキャン動作の後、排紙する必要があり、ユーザに再度原稿を給紙台に設置させる動作を要求してしまう。
【０００８】
また、特許公報１記載の発明の場合、逆搬送をするためのメカ的な構造が必要であり、コストが増大してしまう。
【０００９】
また、特許公報２記載の発明については、プレビューモードと本スキャンモードを持たせて本発明と同様の機能の実現を行っているが、ＡＤＦ使用時については、ユーザに再度原稿の設置を要求するのかどうか明確ではなく、またＬＡＮなどのネットワークを使用した複数ユーザが使用する環境についても明確ではない。
【００１０】
本発明は、上記事情に鑑みてなされたものであり、スキャナのプレビュー動作について、ユーザに既存のものよりも使いやすい機能を実現する方法である。ベルト搬送により読み取り原稿台に原稿を搬送するフラットベッド型のＡＤＦにて何度でも同じ原稿をプレビューすることが可能であり、さらに本当に読みたい設定になったら本スキャンにてプレビュー対象の原稿を含めてＡＤＦからの連続読み取りが再開できる機能を実現することを目的とする。
【００１１】
また、特別ではないＡＤＦの搬送方式を利用して、プレビューを様々な設定で何度も行うことができる。また、遠隔から複数のユーザが画像形成装置を使用できる環境であっても、使用中のユーザのプレビュー動作に影響を与えず、さらに、使用中ユーザがプレビュー状態を放置しても、タイムアウトで機器の資源を解放する機能を提供することを目的とする。
【００１２】
また、詳しくは、ＡＤＦを使用したプレビュー動作にて原稿を給紙してスキャンする場合に、給紙してプレビューした原稿を排紙することなく、何度でもその原稿をプレビューすることができることを目的とする。
【００１３】
また、ＡＤＦを使用したプレビューにて既に給紙されている原稿を一度排紙して取り出す動作を行わずに、ユーザはプレビューにて決定した読み取り設定で本来の読み取り範囲や解像度によって本スキャンすることができることを目的とする。
【００１４】
また、ＬＡＮなどで複数のユーザがスキャナを使用可能な場合に、ＡＤＦを使用したプレビューによって原稿が給紙されている状態で割り込まれても、機器がそのプレビューを行っている原稿の使用者を判別し、使用者でなければ、動作指示を拒否することができることを目的とする。
【００１５】
また、ＬＡＮなどで複数のユーザがスキャナを使用可能な場合に、ＡＤＦを使用したプレビューによって誰かが原稿を給紙したまま放置した場合に、機器に設定されているモードクリア時間（操作パネルで設定されている設定をクリアする、など初期状態に戻すための時間）をタイムアウトとして、自動的に原稿を排紙して、他のユーザが使用できるようにすることができることを目的とする。
【００１６】
また、ＡＤＦを使用したプレビューによって原稿が給紙されている状態で、そのプレビューの使用者がプレビューを終了する指示を行った場合、自動的に原稿を排紙して、他のユーザが使用できるようにすることができることを目的とする。
【００１７】
【課題を解決するための手段】
上記目的を達成するために、請求項１記載の発明は、ネットワーク関連プロトコルと、読み取り原稿台へのベルト搬送を行う手段を有するフラッドベッド型の自動原稿搬送装置と、画像データを読み取る画像読み取り部とを有する画像形成装置と、前記画像形成装置の制御を行うＰＣとをネットワークを介して接続する画像読み取りシステムにおいて、本スキャンをする前に前記ＰＣで全体像を見る手段を有するプレビューモードを有し、前記プレビューモードの場合は、前記画像読み取り部にある原稿を排紙せずに、前記原稿を複数回読み取る画像読み取り手段を有することを特徴としている。
【００１８】
請求項２記載の発明は、請求項１記載の発明において、前記プレビューモードであって、本スキャンを行う場合は、既に給紙されている原稿をスキャンする手段を有することを特徴としている。
【００１９】
請求項３記載の発明は、請求項１または２記載の発明において、前記画像形成装置とネットワークを介して接続するＰＣを複数有し、前記プレビューモードによりプレビュー動作を行う場合は、プレビュー用に給紙した原稿のユーザであるかを判定する判定手段を有し、前記判定手段により、前記給紙した原稿のユーザではない他のユーザであると判定した場合は、スキャンされないよう排他処理を行う手段を有することを特徴としている。
【００２０】
請求項４記載の発明は、請求項１から３のいずれか１項に記載の発明において、前記画像形成装置とネットワークを介して接続するＰＣを複数有し、前記画像形成装置は、一定時間経過した場合に、スキャンジョブ設定をクリアし、初期状態に戻すモードクリア時間を有し、前記モードクリア時間を設定する手段を有し、前記プレビューモードによりプレビュー動作を行う場合であって、前記モードクリア時間に達した場合は、自動的に原稿を排紙し、他のユーザへ資源を解放する手段を有することを特徴としている。
【００２１】
請求項５記載の発明は、請求項１から４のいずれか１項に記載の発明において、前記画像形成装置とネットワークを介して接続するＰＣを複数有し、前記プレビューモードによりプレビュー動作を行うユーザが、操作によりプレビューモードを終了した場合は、給紙されている原稿を自動的に排紙し、他のユーザへ資源を解放する手段を有することを特徴としている。
【００２２】
請求項６記載の発明は、ネットワーク関連プロトコルと、読み取り原稿台へのベルト搬送を行うフラッドベッド型の自動原稿搬送装置と、画像データを読み取る画像読み取り部とを有する画像形成装置と、前記画像形成装置の制御を行うＰＣとをネットワークを介して接続し、本スキャンをする前に前記ＰＣで全体像を見るプレビューモードを有し、前記プレビューモードの場合は、前記画像読み取り部にある原稿を排紙せずに、前記原稿を複数回読み取ることを特徴としている。
【００２３】
請求項７記載の発明は、請求項６記載の発明において、前記プレビューモードであって、本スキャンを行う場合は、既に給紙されている原稿をスキャンする工程を有することを特徴としている。
【００２４】
請求項８記載の発明は、請求項６または７記載の発明において、前記画像形成装置とネットワークを介して接続するＰＣを複数有し、前記プレビューモードによりプレビュー動作を行う場合は、プレビュー用に給紙した原稿のユーザを判定する工程を有し、前記給紙した原稿のユーザではない他のユーザであると判定した場合は、スキャンされないよう排他処理を行うことを特徴としている。
【００２５】
請求項９記載の発明は、請求項６から８のいずれか１項に記載の発明において、前記画像形成装置とネットワークを介して接続するＰＣを複数有し、前記画像形成装置は、一定時間経過した場合にスキャンジョブ設定をクリアし、初期状態に戻すモードクリア時間を有し、前記モードクリア時間を設定する工程を有し、前記プレビューモードによりプレビュー動作を行う場合は、前記モードクリア時間によって、自動的に原稿を排紙し、他のユーザへ資源を解放することを特徴としている。
【００２６】
請求項１０記載の発明は、請求項６から９のいずれか１項に記載の発明において、前記画像形成装置とネットワークを介して接続するＰＣを複数有し、前記プレビューモードによりプレビュー動作を行うユーザが、操作によりプレビューモードを終了した場合は、給紙されている原稿を自動的に排紙し、他のユーザへ資源を解放することを特徴としている。
【００２７】
【発明の実施の形態】
以下、本発明の実施の形態を添付図面を参照しながら詳細に説明する。
【００２８】
図１は、本発明の画像形成システムの一構成例を示す図である。本構成は、画像形成装置１と、画像形成装置１有するフラッドベッド型ＡＤＦ２と、ユーザのＰＣ３、４とを有し、構成されている。
【００２９】
画像形成装置１は、スキャナ機能のほかに、コピー、ファックス、プリンタなどの複数の機能を持つマルチファンクション機器にて、コンタクトガラスやＡＤＦを使用して、原稿や写真などの紙媒体の画像を、光学的にスキャニングを行い電子データ化することができる。また、ネットワークに接続する為のシステム（ＩＰアドレスの割り当てや、ネットワーク・インターフェース・カードの装備など）を持ち、ユーザのＰＣ３、４から接続することで遠隔操作を行うことができる。
【００３０】
フラットベッド型ＡＤＦ２は、給紙台の原稿を一枚ずつ、ローラにて引き込み、引き込んだ原稿を内部のベルトによって、読み取り位置まで搬送する自動搬送装置である。両面読み取り時には、原稿をベルト搬送により反転させて、裏面を再度読み取り位置に搬送する機能も持つ。読み取り後は、排紙口まで搬送し、原稿をＡＤＦの外部に排紙する。
【００３１】
ユーザのＰＣ３、４は決められたプロトコルにて、画像形成装置１にネットワーク接続することができる。
【００３２】
図２は、パーソナルコンピュータ内のシステムの一構成例を示す図である。本構成は、パーソナルコンピュータ（ＰＣ）２１と、ディスプレイ２２と、ＰＣアプリケーション２３と、ドライバ２４と、ネットワークプロトコル２５と、ＯＳ２６とを有し、構成されている。
【００３３】
ＰＣアプリケーション２３は、ＰＣ２１にインストールされたオペレーションシステム（ＯＳ２６）によって制御される画像表示可能なアプリケーションであり、ファイルからの画像入力、ドライバ２４を使用したＴＷＡＩＮプロトコルによる画像入力機器からの画像入力、画像の保存・ファイル化などの一連の機能を持つ。ＴＷＡＩＮプロトコルを使用せず、ＰＣアプリケーション２３が独自に画像入力機器と通信して画像入力を行うものもある。
【００３４】
ドライバ２４は、ＰＣアプリケーション２３によって呼び出される、ネットワーク上にある画像入力装置を制御するアプリケーションである。このアプリケーションのウィンドウにて読み取り設定を行う。ＴＷＡＩＮプロトコルによって上位ＰＣアプリケーション２３に入力画像を渡す機能を持つ。
【００３５】
ＯＳ２６は、オペレーションシステムであり、ＰＣ２１を動作させるために不可欠な制御プログラムと、その制御プログラムにて基本的な動作をするソフトウェアやプログラム群である。
【００３６】
ネットワークプロトコル２５は、制御はＯＳ２６によって行われ、ＬＡＮなどによって外部ネットワーク機器と通信を行うためのプロトコルである。
【００３７】
図３は、読み取り動作開始までの動作を示すフローチャートである。まず、ＰＣアプリケーション２３を起動し、ドライバ２４を呼び出す（ステップＳ３０１）。ドライバ２４には、読み取り設定項目や動作指示を行うボタンなどがある。読み取り設定項目に読み取りサイズや読み取り解像度、読み取り階調（ニ値、多値）を設定し（ステップＳ３０２）、「スキャン」（＝本スキャン）もしくは「プレビュー」のボタンを押下することで読み取りを画像形成装置１へ指示することができる（ステップＳ３０３）。
【００３８】
読み取り指示により、ドライバ２４は画像形成装置１に対してネットワークプロトコル２５を使用して接続を開始する（ステップＳ３０４）。ドライバ２４からの接続要求に対して、接続可能な場合、画像形成装置１側はＰＣ２１側との接続を確立する（ステップＳ３０５）。何らかの原因で接続できない場合（ステップＳ３０６でＮＧ）、画像形成装置１側は、エラー通知を送信し（ステップＳ３１８）、そのエラーをドライバ２４に通知し、ネットワーク切断処理を行い（ステップＳ３１９）、ＰＣ２１の画面上にエラー表示を行う（ステップＳ３２０）。
【００３９】
接続が確立した場合（ステップＳ３０６でＯＫ）、ＰＣ２１と画像形成装置１の間でネットワーク経由にてデータのやり取りが可能となる。ドライバ２４は設定された設定項目を画像形成装置１に送信する（ステップＳ３０７〜Ｓ３０９）。ただし、プレビューを指示されている場合は（ステップＳ３０８でプレビュー）、プレビュー用の読み取り範囲や解像度に修正される（ステップＳ３２１）。画像形成装置１側はそのデータからデータ内容に問題がないかチェックする（データ形式、読み取り設定が正しいかどうかなど）（ステップＳ３１０、Ｓ３１１）。データが正しくない場合（ステップＳ３１１でＮＧ）、エラーをＰＣ２１側に送信し（ステップＳ３１５）、ネットワーク切断処理を行い（ステップＳ３１６）それを受けたドライバ２４はＰＣ２１の画面上にエラー表示する（ステップＳ３１７）。
【００４０】
読み取り設定が正しかった場合（ステップＳ３１１でＯＫ）、読み取り動作を開始する（ステップＳ３１２、Ｓ３１３）。ここでユーザの指示が「スキャン」もしくは「プレビュー」によって動作が異なる（ステップＳ３１４）。
【００４１】
図４は、プレビュー動作を指示された場合の動作を示すフローチャートである。プレビュー動作が指示された時点で、そのスキャン対象となっている画像形成装置１が他のユーザに使われている場合、使用できない。既に他のユーザの指示にてスキャン動作中であり、スキャナの資源を使用されている場合（ステップＳ４０１でＹｅｓ）、使用中であることを示すエラー通知をＰＣ２１側に行い（ステップＳ４０２）、ネットワーク切断処理をし（ステップＳ４０３）、それを受信したドライバ２４がＰＣ２１上にエラー表示を行う（ステップＳ４０４）。
【００４２】
プレビューの読み取り位置が圧板の場合（ステップＳ４０５で厚板）、まず圧板上の原稿が、以前にＡＤＦからのプレビュー要求で給紙済みの原稿の場合（ステップＳ４１８でＹｅｓ）、読み取り位置が異なる原稿を読むことが出来ないので、エラー通知をＰＣ２１側に行い（ステップＳ４２０）、ネットワーク切断処理をし（ステップＳ４２１）、それを受信したドライバ２４がＰＣ２１上にエラー表示を行う（ステップＳ４２２）。そうでない場合には圧板上の原稿を読み取る（ステップＳ４１９）。
【００４３】
プレビューの読み取り位置がＡＤＦの場合（ステップＳ４０５でＡＤＦ）、まず圧板上の原稿が、ユーザの手によって圧板上に置かれた原稿であり、プレビュー要求によってＡＤＦから給紙されていない原稿の場合（ステップＳ４０６でＹｅｓ）、エラー通知をＰＣ２１側に行い（ステップＳ４０２）、それを受信したドライバ２４がＰＣ２１上にエラー表示を行う（ステップＳ４０４）。そうでない場合、ＡＤＦから給紙されているプレビュー原稿が給紙済みかどうかチェックする。プレビュー原稿が給紙済みの場合、読み取り設定送信時点でＰＣ２１側から画像形成装置１側に情報として送信している識別子により、そのプレビューがどのユーザによって行われているかを画像形成装置１は判断する。識別子としてはＰＣ２１につけられた名前やＩＰアドレスを使用する。現時点でプレビュー要求を行っているユーザと以前のプレビュー要求にて原稿を給紙しているユーザが異なる場合には（ステップＳ４０７でＹｅｓ）、読み取り拒否を行い、エラー通知をＰＣ２１側に行い（ステップＳ４０２）、それを受信したドライバ２４がＰＣ２１上にエラー表示を行う（ステップＳ４０４）。プレビュー原稿がない、もしくは同じユーザの場合には（ステップＳ４０７でＮｏ）、読み取りが許可される。
【００４４】
読み取りが許可され、プレビュー用の読み取りを開始する前に、もう一度既にプレビュー用に原稿が給紙されているかどうかチェックする。給紙されていない場合には（ステップＳ４０８でＮｏ）、ＡＤＦの原稿台にある原稿を読み取りを行う圧板の位置まで搬送し（ステップＳ４０９）、読み取りを行う（ステップＳ４１０）。既に給紙されている場合には（ステップＳ４０８でＹｅｓ）、原稿の搬送を行わず、給紙済みの圧板上の原稿を読み取りする（ステップＳ４１０）。
【００４５】
読み取りが正常に行われた場合には（ステップＳ４１１でＹｅｓ）、画像データをＰＣ２１側に転送し（ステップＳ４１２）、それを受信したＰＣ２１側のドライバ２４は画面上に表示できる形式に変換し（ステップＳ４１３）、プレビュー画像として表示する（ステップＳ４１４）。読み取りが原稿つまりなどによって異常終了した場合には（ステップＳ４１１でＮｏ）、エラー通知をＰＣ２１側に行い（ステップＳ４２０）、読み取りが終了したらネットワークを切断し（ステップＳ４２１）、それを受信したドライバ２４がＰＣ２１上にエラー表示を行い（ステップＳ４２２）、読み取り動作を終了する。
【００４６】
図５は、本スキャン動作を指示された場合の動作を示すフローチャートである。読み取りまでの動作は、プレビュー動作と同じ流れである。異なる部分は、ＡＤＦからの読み取りの場合、読み取り後原稿が圧板の読み取り位置からＡＤＦの外部に排紙されることである（ただし、片面の場合。両面時はＡＤＦ内での反転動作を行い裏面のスキャンを行う）。
【００４７】
読み取り終了後の画像データの転送も、プレビュー時と同じ流れである。本スキャンの場合、１ページのスキャンが終わった時点で、ドライバ２４は画像形成装置１から次原稿状態を取得する（ステップＳ５１５、Ｓ５１６）。次原稿がある場合には（ステップＳ５１７でＹｅｓ）、次の原稿に対して本スキャン動作を繰り返す（ステップＳ５１８、Ｓ５１９、Ｓ５０１へ戻る）。次原稿がない場合には、ネットワークを切断し（ステップＳ５２５、５２６）、読み取り動作を終了し、待機状態に移行する（ステップＳ５２７）。
【００４８】
図６は、プレビュー動作時の機器側モードクリア時間経過によるタイムアウトについての動作を示すフローチャートである。機器本体の操作パネルにて設定してスキャン動作を行える場合や、マルチファンクション機のようにコピー機能など別の機能が存在する場合、または他の複数のユーザによって一つの機器を共用して使われる環境では、誰でも利用できる初期状態に戻すためのモードクリア時間が設定できる必要がある。
【００４９】
遠隔によるスキャン動作でプレビューを行う場合、プレビュー原稿が機器内に残ったまま放置されると、他のユーザが使用することが出来ない。それを解決するために、モードクリア時間が経過したとき（ステップＳ６０１）、遠隔によるスキャナ機能が動作中で（ステップＳ６０２でＮｏ）、プレビューを行っている原稿が内部に残っている場合は（ステップＳ６０３でＹｅｓ）、その原稿を排紙し（ステップＳ６０４）、操作パネル設定をクリアし（ステップＳ６０５）、機器的に初期状態にする。
【００５０】
図７は、プレビュー動作時のユーザによるプレビュー終了指示によるプレビュー終了についての動作を示すフローチャートである。ユーザによるプレビュー動作の終了（プレビュー終了ボタン押下、プレビュー表示画面のクローズｅｔｃ．）が指示されると（ステップＳ７０１）、ＰＣ２１側のドライバ２４は再度画像形成装置１に接続し（ステップＳ７０２、７０３）、給紙済み原稿の排紙を指示する（ステップＳ７０４）。既に原稿がない場合には何もしない。原稿がある場合には（ステップＳ７０６でＹｅｓ）、画像形成装置１は排紙動作を行う（ステップＳ７０７）。排紙が完了したら、ＰＣ２１側は画像形成装置１との接続を切断し（ステップＳ７０８、７０９）、機器を他のユーザに使用できる待機状態にする（ステップＳ７１０）。
【００５１】
【発明の効果】
以上の説明から明らかなように、本発明によれば、フラットベッド型ＡＤＦの画像形成装置１にて、プレビュー動作を行う場合、一度給紙した原稿を何度でもスキャンできる機能を提供している。これにより、ＡＤＦからの給紙原稿であっても、同じ原稿に対して何度でもプレビューを行うことができ、ユーザの希望する読み取り設定が設定可能とすることができる。
【００５２】
また、本発明によれば、一度給紙してプレビューしている原稿を、そのまま本番のスキャンで読み取ることができる機能を提供している。これにより、プレビュー動作の流れの一貫としてスキャンが行え、ユーザはわざわざプレビュー原稿をＡＤＦの給紙台にもどす必要がない。
【００５３】
また、本発明によれば、プレビュー対象になっている原稿の持ち主を識別子によって判断し、現在誰がプレビューを行っているか機器側が判断できる機能を提供している。これにより、あるユーザのプレビュー中は他のユーザによる割り込みを抑制し、他のユーザにプレビュー原稿を読まれたり、スキャナ資源を使用されたりすることを防ぐことができる。
【００５４】
また、本発明によれば、プレビュー中にて他ユーザを排他した状態であっても、モードクリア時間によってタイムアウトを設定して、プレビュー原稿を排紙する機能を提供している。これにより、プレビュー中のままの放置が行われても、ある時間が経てば機器の使用権は解放され、他のユーザも使用することができる。
【００５５】
また、本発明によれば、プレビュー中、プレビュー動作を終了した場合に、自動的にプレビュー原稿を排紙する機能を提供している。これにより、あるユーザがプレビューを終了した時点で、速やかに他のユーザに使用権が解放される。
【図面の簡単な説明】
【図１】本発明の画像形成システムの一構成例を示す図である。
【図２】パーソナルコンピュータ２１内のシステムの一構成例を示す図である。
【図３】読み取り動作開始までの動作を示すフローチャートである。
【図４】プレビュー動作を指示された場合の動作を示すフローチャートである。
【図５】本スキャン動作を指示された場合の動作を示すフローチャートである。
【図６】プレビュー動作時の機器側モードクリア時間経過によるタイムアウトについての動作を示すフローチャートである。
【図７】プレビュー動作時のユーザによるプレビュー終了指示によるプレビュー終了についての動作を示すフローチャートである。
【符号の説明】
１　画像形成装置
２　フラッドベッド型ＡＤＦ
２３　ＰＣアプリケーション
２４　ドライバ
２５　ネットワークプロトコル
【図１】
2004104366.tif 000003
【図２】
2004104366.tif 000004
【図３】
2004104366.tif 000005
【図４】
2004104366.tif 000006
【図５】
2004104366.tif 000007
【図６】
2004104366.tif 000008
【図７】
2004104366.tif 000009